(57)【特許請求の範囲】
【請求項１】
ファイバホルダ（３）に固定された光ファイバ（２）の被覆材（２ｂ）を除去する光ファイバの被覆除去装置であって、
光ファイバをその径方向に位置決めした状態で支持可能な略直方体形状のベース（１７）と、
該ベースに径方向に位置決めされた前記光ファイバの被覆材を該ベースに設けられた切断部材（１２）との間で切断可能な対をなす可動切断部材（３５）を、該ベースに対し接近・離間可能に支持する略長方形板状の可動支持体（１９）と、
ベースおよび可動支持体にそれぞれ設けられ、前記可動支持体を前記ベースに接近させたときに該可動支持体と前記ベースとの間で支持される前記光ファイバの先端を前記径方向に保持する先端保持部（２５ａ，２５ｂ）と、
前記ベースの前記切断部材を介して前記ベース側の先端保持部とは反対の側に設けられ、前記ファイバホルダを着脱自在に保持した状態で前記ベースの長さ方向に平行な軸線方向に移動して前記ベースに対して接近・離間するホルダ保持体（１０）とを有し、
前記ベース側の先端保持部（２５ａ）は、上方に向かうに従って互いに漸次離間する一対の傾斜面（２６）と、この一対の傾斜面の間に両傾斜面の下端から下方に窪むように形成され前記光ファイバの先端を収納する溝（２７）とが、前記ベースの長さ方向に沿って延在する、細長形状に形成され、
前記可動支持体側の先端保持部（２５ｂ）は、前記可動支持体を前記ベースに対して閉じたときに前記ベース側の先端保持部の前記溝内に突出する頂部（２８）と、該頂部（２８）から離間するに従って漸次両側に拡がるように形成され、前記可動支持体を前記ベースに対して閉じたときに前記ベース側の先端保持部の一対の傾斜面（２６）に当接される一対の傾斜面（２９）とが、前記可動支持体の長さ方向に沿って延在する、細長形状に形成され、
前記可動支持体を前記ベースに対して閉じたときに、前記可動支持体側の先端保持部（２５ｂ）の前記頂部（２８）が、前記ベース側の先端保持部の前記溝（２７）内に突出することにより、前記溝（２７）内で前記光ファイバが保持されるように構成され、
しかも、前記先端保持部は、前記位置決めされた光ファイバを隙間を有した状態で保持することを特徴とする光ファイバの被覆除去装置（１５）。
【請求項２】
前記ベース（１７）の長さ方向における一端の結合部（１８）に、可動支持体（１９）の一端側が開閉自在となるようにヒンジ結合され、前記ベース（１７）の前記結合部（１８）に対し反対側に前記ホルダ保持体（１０）が設けられていることを特徴とする請求項１記載の光ファイバの被覆除去装置。
【請求項３】
前記ベース（１７）の前記結合部（１８）に対する反対側には、光ファイバ（２）をベース（１７）の長さ方向に平行するようにその径方向に調心位置決めした状態で支持する溝（２２）が形成されたガイド体（２０ａ、２０ｂ）が所定の間隔をおいて設けられ、
前記ガイド体の間に前記切断部材（１２）が設けられ、
前記ベース（１７）に設けられた前記先端保持部（２５ａ）は、前記切断部材から前記結合部（１８）側の前記ガイド体（２０ｂ）より結合部（１８）側に設けられ、
前記可動支持体（１９）に設けられた前記先端保持部（２５ｂ）は、前記可動支持体（１９）を前記ベース（１７）に対して閉じたときに、前記ベース（１７）側の先端保持部（２５ａ）との間に光ファイバを保持できるように、前記可動支持体における前記ベース（１７）の前記ガイド体（２０ｂ）に対応する位置よりも結合部（１８）側に設けられていることを特徴とする請求項２記載の光ファイバの被覆除去装置。
【請求項４】
前記ベース（１７）のホルダ保持部（１０）側の幅方向の両側位置に穿設された嵌合穴（３６，３６）に、前記ホルダ保持部（１０）の前記ベース（１７）に対する移動を案内するガイド棒（３７，３７）の一端側が、前記ベース（１７）の長さ方向に移動自在に嵌合され、
前記ガイド棒（３７，３７）の一端側に、ホルダ保持体１０が固定されていることを特徴とする請求項１−３のいずれかに記載の光ファイバの被覆除去装置。
【請求項５】
前記ホルダ保持体（１０）は、略長方形板状をなすと共に長さ方向の一側に該長さ方向に沿って両ガイド棒（３７，３７）が固定された基板部（３８）と、該基板部（３８）の長さ方向における両端部上に突出する係止部（３９，３９）とを有し、ファイバホルダ（３）が、両係止部（３９，３９）の間に嵌合されるようになっていることを特徴とする請求項４記載の光ファイバの被覆除去装置。
【請求項６】
ファイバホルダ（３）は、略直方体形状の基台（５）と、該基台（５）の上面（５ａ）に対し開閉自在となるようヒンジ結合された二つの板状の開閉部材（４，４）とを有し、両開閉部材（４，４）を基台（５）に対して開かせた状態で光ファイバ（２）を基台（５）にセットし、両開閉部材（４，４）を閉じることで、光ファイバ（２）を固定できるようになっていることを特徴とする請求項１−５のいずれかに記載の光ファイバの被覆除去装置。
【発明の詳細な説明】
【０００１】
【発明の属する技術分野】
本発明は、光ファイバの被覆材を除去する被覆除去装置に関するものである。
【０００２】
【従来の技術】
従来、光ファイバを被覆材で被覆してなる光ファイバ先端の被覆を目的の長さだけ除去する装置としては、調心位置決めされた光ファイバの被覆材における除去長（以下、ストリップ長と称する）部分の境界に被覆材のみを切断可能な切断刃を切り込ませ、被覆材の除去長部分を支持手段によって支持しながらストリップ長から該除去長部分に内装されている光ファイバを引き抜くことにより裸ファイバを形成するようになっている。
【０００３】
図６ないし図８に、従来技術による光ファイバの被覆除去装置の一例を示す。
これらの図において、符号１は光ファイバの被覆除去装置を、符号２は光ファイバ（光ファイバ心線）を、符号３は光ファイバ２を取り付けるファイバホルダをそれぞれ示している。
ここで、光ファイバ２は、裸ファイバ２ａの周囲を被覆材２ｂで被覆してなるものである（図８参照）。
【０００４】
この被覆除去装置１では、まずファイバホルダ３に開閉自在となるようにヒンジ結合された開閉部材４，４を基台５に対し開かせた状態で、光ファイバ２を基台５にセットし、両開閉部材４，４を閉じて光ファイバ２をファイバホルダ３に固定する。
次に、ベース６に対し可動支持体７が開いた状態にある被覆除去装置１に対して、光ファイバ２をベース６のガイド体８ａ〜８ｄの溝９…９に載置させつつファイバホルダ３をホルダ保持体１０に嵌合させる。
【０００５】
そして、ベース６および可動支持体７を把持することにより、可動支持体７をベース６に重なり合う閉状態にする。すると、光ファイバ２がベース６側のガイド体８ａ〜８ｄの溝９…９および可動支持体７の規制体１１ａ、１１ｂで径方向の位置が調心位置決めされ、この状態で切断部材１２および可動切断部材１３で光ファイバ２の外側の被覆材２ｂのみ切断する。
【０００６】
その後、把持状態のまま、ホルダ保持体１０をファイバホルダ３と共にベース６からガイド棒１４の案内で、光ファイバ２の端部が切断部材１２および可動切断部材１３から離れるまで離間させると、この間、被覆材２ｂの切断位置より先端側が切断部材１２および可動切断部材１３で移動が規制されることで裸ファイバ２ａが被覆材２ｂから引き抜かれ、よって被覆材２ｂが除去される。
【０００７】
【発明が解決しようとする課題】
しかしながら、上述したような従来の光ファイバの被覆除去装置には、以下のような問題が存在する。
光ファイバ２は、ベース６側のガイド体８ａ〜８ｄの溝９…９および可動支持体７の規制体１１ａ、１１ｂで保持されているが、ガイド体８ｄより先端は解放されているため、上記被覆材２ｂを切断した際に被覆材２ｂの先端部が湾曲してしまい、これに伴って裸ファイバ２ａに剪断力が作用することがある。
【０００８】
この状態でホルダ保持体１０をベース６から離間させることにより裸ファイバ２ａを被覆材２ｂを引き抜くと、裸ファイバ２ａに無理な力が加わり、裸ファイバ２ａが損傷したり、最悪の場合折れてしまうこともありその解決策が望まれていた。
【０００９】
本発明は、以上のような点を考慮してなされたもので、光ファイバ心線を保持した際にもその先端が湾曲することなく、従って、裸ファイバが損傷することなく、被覆材を除去することができる光ファイバの被覆除去装置を提供することを目的とする。
【００１０】
【課題を解決するための手段】
上記の目的を達成するために本発明は、以下の構成を採用している。
請求項１記載の光ファイバの被覆除去装置は、ファイバホルダに固定された光ファイバの被覆材を除去する光ファイバの被覆除去装置であって、光ファイバをその径方向に位置決めした状態で支持可能な略直方体形状のベースと、該ベースに径方向に位置決めされた前記光ファイバの被覆材を該ベースに設けられた切断部材との間で切断可能な対をなす可動切断部材を、該ベースに対し接近・離間可能に支持する略長方形板状の可動支持体と、ベースおよび可動支持体にそれぞれ設けられ、前記可動支持体を前記ベースに接近させたときに該可動支持体と前記ベースとの間で支持される前記光ファイバの先端を前記径方向に保持する先端保持部と、前記ベースの前記切断部材を介して前記ベース側の先端保持部とは反対の側に設けられ、前記ファイバホルダを着脱自在に保持した状態で前記ベースの長さ方向に平行な軸線方向に移動して前記ベースに対して接近・離間するホルダ保持体とを有し、前記ベース側の先端保持部は、上方に向かうに従って互いに漸次離間する一対の傾斜面と、この一対の傾斜面の間に両傾斜面の下端から下方に窪むように形成され前記光ファイバの先端を収納する溝とが、前記ベースの長さ方向に沿って延在する、細長形状に形成され、前記可動支持体側の先端保持部は、前記可動支持体を前記ベースに対して閉じたときに前記ベース側の先端保持部の前記溝内に突出する頂部と、該頂部から離間するに従って漸次両側に拡がるように形成され、前記可動支持体を前記ベースに対して閉じたときに前記ベース側の先端保持部の一対の傾斜面に当接される一対の傾斜面とが、前記可動支持体の長さ方向に沿って延在する、細長形状に形成され、前記可動支持体を前記ベースに対して閉じたときに、前記可動支持体側の先端保持部の前記頂部が、前記ベース側の先端保持部の前記溝内に突出することにより、前記溝内で前記光ファイバが保持されるように構成され、しかも、前記先端保持部は、前記位置決めされた光ファイバを隙間を有した状態で保持するものである。
【００１１】
従って、本発明の光ファイバの被覆除去装置では、光ファイバが固定された状態のファイバホルダをホルダ保持体に保持させ、且つホルダ保持体を例えばベースに当接させた状態とすることで、ファイバホルダに対する切断部材および可動切断部材による切断位置、即ち被覆除去の開始位置が決まる。そして、ベースに支持された光ファイバの被覆材を切断部材および可動切断部材により切断し、その後ホルダ保持体をファイバホルダと共にベースから離間させて被覆材を除去させると、ファイバホルダに対し位置決めされた状態で被覆除去部分が得られる。
この際、光ファイバの先端は、先端保持部により径方向が保持されているので、切断時に湾曲することが防止される。従って、裸ファイバに剪断力を作用させることなく被覆材を除去することができる。
【００１２】
また、本発明の光ファイバの被覆除去装置では、先端保持部が光ファイバを押圧しないので、裸ファイバを被覆材から引き抜く際の抵抗を低減することができる。
請求項２に係る発明は、前記ベース（１７）の長さ方向における一端の結合部（１８）に、可動支持体（１９）の一端側が開閉自在となるようにヒンジ結合され、前記ベース（１７）の前記結合部（１８）に対し反対側に前記ホルダ保持体（１０）が設けられていることを特徴とする請求項１記載の光ファイバの被覆除去装置である。
請求項３に係る発明は、前記ベース（１７）の前記結合部（１８）に対する反対側には、光ファイバ（２）をベース（１７）の長さ方向に平行するようにその径方向に調心位置決めした状態で支持する溝（２２）が形成されたガイド体（２０ａ、２０ｂ）が所定の間隔をおいて設けられ、前記ガイド体の間に前記切断部材（１２）が設けられ、前記ベース（１７）に設けられた前記先端保持部（２５ａ）は、前記切断部材から前記結合部（１８）側の前記ガイド体（２０ｂ）より結合部（１８）側に設けられ、前記可動支持体（１９）に設けられた前記先端保持部（２５ｂ）は、前記可動支持体（１９）を前記ベース（１７）に対して閉じたときに、前記ベース（１７）側の先端保持部（２５ａ）との間に光ファイバを保持できるように、前記可動支持体における前記ベース（１７）の前記ガイド体（２０ｂ）に対応する位置よりも結合部（１８）側に設けられていることを特徴とする請求項２記載の光ファイバの被覆除去装置である。
請求項４に係る発明は、前記ベース（１７）のホルダ保持部（１０）側の幅方向の両側位置に穿設された嵌合穴（３６，３６）に、前記ホルダ保持部（１０）の前記ベース（１７）に対する移動を案内するガイド棒（３７，３７）の一端側が、前記ベース（１７）の長さ方向に移動自在に嵌合され、前記ガイド棒（３７，３７）の一端側に、ホルダ保持体１０が固定されていることを特徴とする請求項１−３のいずれかに記載の光ファイバの被覆除去装置である。
請求項５に係る発明は、前記ホルダ保持体（１０）は、略長方形板状をなすと共に長さ方向の一側に該長さ方向に沿って両ガイド棒（３７，３７）が固定された基板部（３８）と、該基板部（３８）の長さ方向における両端部上に突出する係止部（３９，３９）とを有し、ファイバホルダ（３）が、両係止部（３９，３９）の間に嵌合されるようになっていることを特徴とする請求項４記載の光ファイバの被覆除去装置である。
請求項６に係る発明は、ファイバホルダ（３）は、略直方体形状の基台（５）と、該基台（５）の上面（５ａ）に対し開閉自在となるようヒンジ結合された二つの板状の開閉部材（４，４）とを有し、両開閉部材（４，４）を基台（５）に対して開かせた状態で光ファイバ（２）を基台（５）にセットし、両開閉部材（４，４）を閉じることで、光ファイバ（２）を固定できるようになっていることを特徴とする請求項１−５のいずれかに記載の光ファイバの被覆除去装置である。
【００１３】
【発明の実施の形態】
以下、本発明の光ファイバの被覆除去装置の実施の形態を、図１ないし図５を参照して説明する。
ここでは、例えば、光ファイバの直径が０．９ｍｍの場合の例を用いて説明する。これらの図において、従来例として示した図６ないし図８と同一の構成要素には同一符号を付し、その説明を省略する。
図１において、符号１５は光ファイバの被覆除去装置を、符号３はファイバホルダをそれぞれ示している。
【００１４】
ファイバホルダ３は、略直方体形状の基台５と、該基台５の上面５ａに対し開閉自在となるようヒンジ結合された二つの板状の開閉部材４，４とを有している。
基台５の上面５ａの幅方向における中央位置には、全長さ方向に延在して溝（図示せず）が形成されている。このファイバホルダ３は、両開閉部材４，４を上面５ａに対し開かせた状態で溝に光ファイバを直線状に嵌合させ、その後、両開閉部材４，４を閉じることで光ファイバを固定するものである。
また、ファイバホルダ３の長さ方向における両端の幅方向における中央には、それぞれ上面５ａ側に直方体形状の突起１６，１６が形成されている。
【００１５】
被覆除去装置１５は、略直方体形状のベース１７と、該ベース１７の長さ方向における一端の結合部１８に所定の角度範囲で開閉自在となるようその一端側がヒンジ結合された略長方形板状の可動支持体１９と、ベース１７の結合部１８に対し反対側に設けられたホルダ保持体１０とを有している。
ベース１７のホルダ保持体１０側には、長さ方向に直交してガイド体２０ａ、２０ｂが所定の間隔をおいて形成されている。
【００１６】
図３に示すように、ガイド体２０ａ、２０ｂには、上方に向かうに従って互いに漸次離間する方向に拡径する一対の傾斜面２１，２１がベース１７の幅方向および高さ方向の位置を一致させて形成されている。また、傾斜面２１，２１間には、ベース１７の長さ方向に延在する幅１．２ｍｍ程度、深さが光ファイバ２の中心線から０．４５ｍｍの正面視コ字状の溝２２が形成されている。溝２２は、傾斜面２１，２１で案内された光ファイバ２をベース１７の長さ方向に平行するように、その径方向に調心位置決めした状態で支持するものである。
また、ガイド体２０ａ、２０ｂ間には、図２に示すように、可動支持体１９へ向けて切断部材１２が突設されている。
【００１７】
ベース１７および可動支持体１９のガイド体２０ｂより結合部１８側には、上記調心位置決めされた光ファイバ２の先端を保持する先端保持部２５ａ、２５ｂがそれぞれ設けられている。図４に示すように、先端保持部２５ａには、上記一対の傾斜面２１，２１とベース１７の幅方向および高さ方向の位置が一致する傾斜面２６，２６が形成されている。傾斜面２６，２６間には、ベース１７の長さ方向に延在する正面視コ字状の溝２７が形成されている。溝２７は、幅が溝２２に対して同寸法に、深さが溝２２より０．１ｍｍ程度深い光ファイバ２の中心線から下方の０．５５ｍｍに形成されている。
【００１８】
先端保持部２５ｂは、頂部２８と、該頂部２８から離間するに従って漸次拡径する傾斜面２９，２９とから構成されており、傾斜面２９，２９は、可動支持体１９を閉じたときに傾斜面２６，２６とそれぞれ当接するように同じ傾斜角（例えば９０°）に設定されている。また、頂部２８は、傾斜面２６，２６および傾斜面２９，２９が当接したときに、溝２７内に、光ファイバ２の中心線から上方の０．５５ｍｍの位置に、即ち、溝２７内に高さ方向の寸法が１．１ｍｍの空間を形成するように突出するものである。
【００１９】
ベース１７および可動支持体１９の結合部１８側には、それぞれ円筒状の筒部２３が形成されており、これら筒部２３、２３にはスプリング２４が挿入されている。スプリング２４は、可動支持体１９をベース１７に対して所定角度開かせるように付勢するものである。
【００２０】
図２に示すように、可動支持体１９の結合部１８に対する反対側には、板状のガイド体３０ａ〜３０ｄがベース１７の長さ方向に順次形成されている。
最もホルダ保持体１０側のガイド体３０ａと、該ガイド体３０ａに隣設するガイド体３０ｂとの間には間隙３１が形成されており、間隙３１には可動支持体１９がベース１７に対して閉じたときにガイド体２０ａが入り込むようになっている。また、最も結合部１８側のガイド体３０ｄと、該ガイド体３０ｄに隣設するガイド体２０ｃとの間には間隙３２が形成されており、間隙３２には可動支持体１９がベース１７に対して閉じたときにガイド体２０ｂが入り込むようになっている。
【００２１】
図３に示すように、ガイド体３０ａ〜３０ｄには、下方に向かうに従って互いに漸次離間する方向に拡径する一対の傾斜面３３，３３が可動支持体１９の幅方向および高さ方向の位置を一致させて形成されている。また、傾斜面３１，３１間には、ベース１７の長さ方向に延在する幅１．２ｍｍ程度、深さが光ファイバ２の中心線から上方の０．４５ｍｍのコ字状の溝３４が形成されている。溝３４は、ガイド板２０ａ，２０ｂの溝２２で径方向に調心位置決めされた光ファイバ２を、可動支持体１９がベース１７に対して閉じたときに上方から支持して、該光ファイバ２が可動支持体１９方向へ向けて移動することを規制するものである。
また、ガイド体３０ｂとガイド体３０ｃとの間には、ベース１７へ向けて可動切断部材３５が可動支持体１９によりベース１７に対し接近・離間可能に支持されている。
【００２２】
ベース１７の切断部材１２と、可動支持体１９の可動切断部材３５とは、ベース１７と可動支持体１９とが重なり合った閉状態において、ガイド体２０ａ，２０ｂの溝２２に径方向の位置決めがなされた光ファイバ２の被覆材２ｂのみを両側から切断可能な対をなしている。切断部材１２および可動切断部材３５には、それぞれ光ファイバ２の被覆材２ｂの内径（裸ファイバ２ａの外径）とほぼ等しい半円状の刃部（図示せず）が形成されており、これら刃部はベース１７と可動支持体１９とを重ね合わせた際に、内側に被覆材２ｂの内径とほぼ一致し、且つ同軸をなすクリアランスを形成して裸ファイバ２ａに傷を付けることなく被覆材２ｂのみを切断するようになっている。
【００２３】
ベース１７のホルダ保持部１０側には、幅方向の両側位置に、長さ方向に沿って複数（二箇所）の嵌合穴３６，３６がそれぞれ穿設されており、これら嵌合穴３６，３６にはそれぞれガイド棒３７，３７が一端側に軸線方向に移動自在となるように嵌合されている。そして、これらガイド棒３７，３７の他端側にホルダ保持体１０が固定されている。ここで、これらのガイド棒３７，３７および嵌合穴３６，３６は、ガイド棒３７，３７が嵌合穴３６，３６に対し、作業者の手による程度の外力付与で移動し、該外力付与の解除で嵌合穴３６，３６に対し位置が固定されるような嵌合力が設定されている。
【００２４】
図５に示すように、ホルダ保持体１０は、略長方形板状をなすと共に長さ方向の一側に該長さ方向に沿って両ガイド棒３７，３７が固定される基板部３８と、該基板部３８の長さ方向における両端部に、基板部３８に対し垂直をなして可動支持体１９側に延出するように形成された係止部３９，３９とを有しており、両係止部３９，３９には基板部３８に対し反対側（図５（ａ）における上側）に凹部４０，４０がそれぞれ形成されている。
【００２５】
このホルダ保持体１０には、光ファイバ２に固定状態とされたファイバホルダ３が、両係止部３９，３９の間に下面５ｂを基板部３８に当接するまで嵌合される。このとき、係止部３９，３９の凹部４０，４０にファイバホルダ３の突起１６がそれぞれ嵌合している。
ここで、ファイバホルダ３は、ホルダ保持体１０に対するファイバホルダ３の嵌合および嵌合解除を作業者の手による程度の外力付与で行え、該外力付与の解除で嵌合状態が維持されるように嵌合力が設定されている。
【００２６】
そして、上記のようにホルダ保持体１０に嵌合保持された状態において、ファイバホルダ３は、固定支持した光ファイバ２の突出部分の軸線をガイド棒３７，３７の軸線と平行させ、ガイド体２０ａ、２０ｂで調心支持される際の軸線と一致するようになっている。
以上により、ホルダ保持体１０は、ファイバホルダ３を着脱自在に保持すると共に、装着状態において該ファイバホルダ３をベース１７に対して、固定された光ファイバ２の径方向に位置決めし、且つ該光ファイバ２の軸線方向、即ちファイバホルダ３からの突出方向に沿ってのみ接近・離間自在に移動する。
【００２７】
上記の構成の光ファイバの被覆除去装置１５を用いた作業について以下に説明する。
まず、ファイバホルダ３の両開閉部材４，４を基台５に対して開かせた状態で、光ファイバ２を基台５にセットし、両開閉部材４，４を閉じて光ファイバ２をファイバホルダ３に固定する。
【００２８】
次に、ベース１７に対し可動支持体１９が開いた状態にある被覆除去装置１５に対して、光ファイバ２をベース１７のガイド体２０ａ、２０ｂの傾斜面２１，２１を案内にして溝２２に載置させつつ、ファイバホルダ３をホルダ保持体１０に嵌合させる。ここで、ホルダ保持体１０を予めベース１７に当接させておく。
【００２９】
そして、ベース１７および可動支持体１９を把持することにより、可動支持体１９をベース１７に重なり合う閉状態とする。すると、図３に示すように、光ファイバ２がベース１７側のガイド体２０ａ，２０ｂの溝２２および可動支持体１９側のガイド体３０ａ〜３０ｄの溝３４で径方向の位置が調心位置決めされる。
そして、この状態で切断部材１２および可動切断部材３５で光ファイバ２の外側の被覆材２ｂのみを切断する。
【００３０】
このとき、光ファイバ２の先端部は、先端保持部２５ａ，２５ｂによってその径方向が保持されている。
即ち、図４に示すように、ベース１７側の先端保持部２５ａにおいて、光ファイバ２は、傾斜面２６，２６に案内されて溝２７内に載置された後、可動支持体１９を閉じた際に、図５に示すように、該可動支持体１９側の先端保持部２５ｂの傾斜面２９，２９が先端保持部２５ａの傾斜面２６，２６と当接すると共に、頂部２８が溝２７内に突出することにより、溝２７内で径方向が保持される。
この溝２７の幅寸法は１．２ｍｍ程度、高さ方向の寸法は１．１ｍｍ程度であり、光ファイバ２の直径は０．９ｍｍであるので、これら先端保持部２５ａ，２５ｂは光ファイバ２を微小な隙間を有した状態で、且つ径方向の位置をほぼ維持した状態で保持することができる。
【００３１】
その後、把持状態のまま、ホルダ保持体１０をファイバホルダ３と共にベース１７からガイド棒３７の案内で、光ファイバ２の端部が切断部材１２および可動切断部材３５から離れるまで離間させると、この間、被覆材２ｂの切断位置より先端側が切断部材１２および可動切断部材３５で移動が規制されることで裸ファイバ２ａが引き抜かれ、被覆材２ｂが除去される。
【００３２】
上記、光ファイバ２の被覆材２ｂの切断時およびホルダ保持部１０の離間の際には、光ファイバ２の先端部は、先端保持部２５ａ，２５ｂによって保持されて径方向の位置をほぼ維持しているので、被覆材２ｂおよび裸ファイバ２ａは湾曲することなく、従って裸ファイバ２ａは剪断力が作用することなく被覆材２ｂから引き抜かれる。
かくして、被覆除去部分である裸ファイバ２ａが、ファイバホルダ３に対して正確に位置決めされた状態で得られる。
【００３３】
次に、このようにして被覆材２ｂが除去された状態の光ファイバ２を、ファイバホルダ３に固定状態のまま、被覆除去装置１５から取り外し、そのままファイバホルダ３において不図示の接続器に装着して光接続を行う。
【００３４】
本実施の形態の光ファイバの被覆除去装置では、裸ファイバ２ａを得るための切断作業から接続作業までの全行程において、ファイバホルダ３の移設で位置決めがなされるため、作業効率が向上する。
また、裸ファイバ２ａを被覆材２ｂから引き抜く際にも、被覆材２ｂの先端部が先端保持部２５ａ，２５ｂでほぼ位置決めされて、径方向の位置が維持されているので、裸ファイバ２ａに剪断力が加わることなく、円滑に作業を行うことができる。
【００３５】
そして、先端保持部２５ａ，２５ｂによる光ファイバ２の保持が、隙間を有した状態でなされるので、ベース１７および可動支持体１９を把持した際に、先端保持部２５ｂの頂部２８は光ファイバ２を押圧しない。
従って、裸ファイバ２ａと被覆材２ｂとの間の摩擦力が増加しないので、裸ファイバ２ａを被覆材２ｂから引き抜く際の抵抗の増加を抑止することができる。
【００３６】
なお、上記実施の形態において、傾斜面２６，２６および溝２７を有する先端保持部２５ａをベース１７に設け、傾斜面２９，２９および頂部２８を有する先端保持部２５ｂを可動支持部１９に設ける構成としたが、これに限られることなく、例えば先端保持部２５ａを可動支持部１９に設け、先端保持部２５ｂをベース１７に設けるような構成であってもよい。
また、溝２７および頂部２８の形状寸法は、上記の寸法に限定されることなく、光ファイバ２が調心位置決めされて支持される寸法に対して、径方向の位置をほぼ維持し、且つ微小な隙間を有するものであれば適宜変更してもよい。
さらに、光ファイバ２の直径寸法も０．９ｍｍに限られることなく、溝２２，２７，３４の幅寸法等を変更すれば各種寸法にも対応可能である。
【００３７】
一方、先端保持部２５ａの傾斜面２６に、切断部材１２および可動切断部材３５からの距離を表示する目盛を設けることにより、被覆材２ｂが除去された裸ファイバ２ａのストリップ長を容易に、且つ正確に設定することができる。
また、潤滑剤を染み込ませた綿等の吸収材等を切断部材１２および可動切断部材３５の近傍に配置することにより、切断位置から先端側の被覆材２ｂからの裸ファイバ２ａの引き抜き時におけるこれらの間の潤滑性を高めて、被覆材２ｂの除去の容易化を図ることもできる。
【００３８】
【発明の効果】
以上説明したように、請求項１に係る光ファイバの被覆除去装置は、光ファイバが固定された状態のファイバホルダをホルダ保持体に保持させ、且つ光ファイバの先端を先端保持部で径方向に保持する構成となっている。
これにより、この光ファイバの被覆除去装置では、裸ファイバに損傷を与えることなく、円滑に被覆材を除去することができるという効果が得られる。
【００３９】
また、本発明に係る光ファイバの被覆除去装置は、先端保持部が光ファイバを隙間を有した状態で保持する構成となっている。これにより、この光ファイバの被覆除去装置では、裸ファイバを被覆材から引き抜く際の抵抗の増加を抑止することができるという効果が得られる。
【図面の簡単な説明】
【図１】  本発明の実施の形態を示す図であって、被覆除去装置の外観斜視図である。
【図２】  被覆除去装置の正面図である。
【図３】  本発明の実施の形態を示す図であって、光ファイバがガイド体で調心位置決めされる正面図である。
【図４】  本発明の実施の形態を示す図であって、光ファイバが先端保持部で保持される断面図である。
【図５】  本発明の実施の形態を示す図であって、被覆除去装置を構成するホルダ保持体の（ａ）は正面図、（ｂ）は平面図、（ｃ）は（ｂ）の左側面図、（ｄ）は（ｂ）の右側面図である。
【図６】  従来技術による光ファイバの被覆除去装置の一例を示す外観斜視図である。
【図７】  図６における正面図である。
【図８】  従来技術の被覆除去装置による被覆除去後の状態を示す正面図である。
【符号の説明】
２…光ファイバ（光ファイバ心線）、２ｂ…被覆材、３…ファイバホルダ、１０…ホルダ保持体、１２…切断部材、１５…被覆除去装置、１７…ベース、１９…可動支持体、２５ａ，２５ｂ…先端保持部、３５…可動切断部材。
【図１】
0003844592.tif 000002
【図２】
0003844592.tif 000003
【図３】
0003844592.tif 000004
【図４】
0003844592.tif 000005
【図５】
0003844592.tif 000006
【図６】
0003844592.tif 000007
【図７】
0003844592.tif 000008
【図８】
0003844592.tif 000009